(57)【特許請求の範囲】
【請求項１】
鋼板から折り曲げられて平面視で長方形状に成形されたコンクリートスラブ用のデッキプレートであって、
コンクリートスラブの下面を支持する長方形平板状のスラブ支持部と、このスラブ支持部の片面から面外方向に向け長手方向に沿って突設された補強リブと、が備えられているとともに、
前記スラブ支持部の長手両側の縁に沿って左右一対の係合リブが形成され、
一方の第１係合リブには、前記スラブ支持部の面外方向に立ち上がる平板状の第１立上り部と、この第１立上り部の先端から外側に一定間隔離間して傾斜する係合傾斜部と、が設けられ、
他方の第２係合リブには、前記スラブ支持部の面外方向に立ち上がる平板状の第２立上り部と、この第２立上り部の先端から前記係合傾斜部と逆方向に傾斜して前記一定間隔内に収まる幅を有する乗り越え傾斜部と、が設けられていること
を特徴とするデッキプレート。
【請求項２】
前記第２係合リブには、前記乗り越え傾斜部の先端から前記係合傾斜部と同一方向に略同角度で傾斜する押圧傾斜部が設けられていること
を特徴とする請求項１に記載のデッキプレート。
【請求項３】
前記第１係合リブには、前記係合傾斜部から前記前記係合傾斜部と逆方向に傾斜する案内傾斜部が設けられていること
を特徴とする請求項１又は２に記載のデッキプレート。
【請求項４】
前記スラブ支持部には、曲げ剛性を高めるため長手方向に沿って折り曲げられて凹凸が形成されていること
を特徴とする請求項１ないし３のいずれかに記載のデッキプレート。
【請求項５】
前記第１立上り部、第２立上り部のいずれか一方又は両方には、デッキプレートとその内側に打設されたコンクリートとが両者の界面でずれることを防止するエンボスが形成されていること
を特徴とする請求項１ないし４のいずれかに記載のデッキプレート。
【請求項６】
前記エンボスは、上下に傾斜する凸条であること
を特徴とする請求項５に記載のデッキプレート。
【請求項７】
前記補強リブには、曲げ剛性を高める断面三角形状の部分が設けられていること
を特徴とする請求項１ないし６のいずれかに記載のデッキプレート。
【発明の詳細な説明】
【技術分野】
【０００１】
本発明は、解体を要さない打込み型枠として使用されるコンクリートスラブ用のデッキプレートに関し、詳しくは、合成スラブ用デッキプレートとフラットデッキ用デッキプレートの両方に兼用可能なデッキプレートに関するものである。
【背景技術】
【０００２】
従来、建築物の床スラブや屋根スラブなどの構造物のコンクリートスラブを構築するため、解体を要しない打込み型枠として形鋼や型枠間に架け渡され、その中にコンクリートが打設されて使用されるコンクリートスラブ用デッキプレートが種々提案されている。このコンクリートスラブ用デッキプレートは、コンクリート打設時には型枠として機能し、コンクリート硬化後はコンクリートと一体になって引張応力を負担する構造部材としての合成スラブ用デッキプレートと、上面が概ね平ら（フラット）で解体を要さない打込み型枠として使用されるが、構造部材として引張り応力を負担するものとは算定されないフラットデッキ用デッキプレートとの、２種類のデッキプレートに大別される。
【０００３】
例えば、特許文献１には、従来技術として、水平なプレート１の下面に断面三角形状の複数条の補強リブ２が形成されたフラットデッキプレート５において、長手方向に沿って一側端に形成された鉤爪状の接続片３を設け、この接続片３を隣接する他のフラットデッキプレートの補強リブ２内に圧入して複数のフラットデッキプレート５同士を横方向（水平方向）にずれないように係合して連結させて使用するフラットデッキプレート５が開示されている（特許文献１の図面の第１図、第３図等参照）。
【０００４】
また、特許文献２には、特許文献１と略同様のフラット部１の下面に断面三角形状の複数条の補強リブ２が形成されたフラットデッキプレートＦＤにおいて、このフラットデッキプレートＦＤをスポット溶接可能とするため片面に塗装を施しためっき鋼板から構成するとともに、フラットデッキプレートＦＤの天地（上下）を逆にして合成スラブ用デッキプレートとしても使用できることが開示されている（特許文献２の図面の図１、図３等参照）。
【０００５】
しかし、特許文献１に記載のフラットデッキプレート５及び特許文献２に記載のフラットデッキプレートＦＤのような従来のフラットデッキ用デッキプレート１０は、合成スラブ用デッキプレートとして使用する場合は、図２１（ａ）、（ｂ）に示すように、重いフラットデッキ用デッキプレート１０を持ち上げて、上面から見えない補強リブの溝内に鉤爪状の接続片等を差し込まなくてはならず、デッキプレート同士の連結が非常に困難であるという問題があった。
【０００６】
その上、従来のフラットデッキ用デッキプレート１０は、合成スラブ用デッキプレートとして使用するために困難な連結作業を行ったとしても、図２１（ｂ）に示すように、差し込んだ接続片が、荷重が掛かる下方へ抜けるおそれがあるため、溶接やカシメなどの何らかの固定手段により、接続片を補強リブに固定する必要があり、連結作業の作業効率が悪いという問題もあった。
【先行技術文献】
【特許文献】
【０００７】
【特許文献１】実公昭６３−１００２２号公報
【特許文献２】特開平９−４１０７号公報
【発明の概要】
【発明が解決しようとする課題】
【０００８】
そこで、本発明は、前述した問題に鑑みて案出されたものであり、その目的とするところは、合成スラブ用デッキプレートとしてもフラットデッキ用デッキプレートとしても使用することができるとともに、いずれのデッキプレートとして使用してもデッキプレート同士の連結がデッキプレートを持ち上げることなく水平にスライドさせるだけで容易に行え、且つ、溶接やカシメなどの固定作業が不要なデッキプレートを提供することにある。
【課題を解決するための手段】
【０００９】
第１発明に係るデッキプレートは、鋼板から折り曲げられて平面視で長方形状に成形されたコンクリートスラブ用のデッキプレートであって、コンクリートスラブの下面を支持する長方形平板状のスラブ支持部と、このスラブ支持部の片面から面外方向に向け長手方向に沿って突設された補強リブと、が備えられているとともに、前記スラブ支持部の長手両側の縁に沿って左右一対の係合リブが形成され、一方の第１係合リブには、前記スラブ支持部の面外方向に立ち上がる平板状の第１立上り部と、この第１立上り部の先端から外側に一定間隔離間して傾斜する係合傾斜部と、が設けられ、他方の第２係合リブには、前記スラブ支持部の面外方向に立ち上がる平板状の第２立上り部と、この第２立上り部の先端から前記係合傾斜部と逆方向に傾斜して前記一定間隔内に収まる幅を有する乗り越え傾斜部と、が設けられていることを特徴とする。
【００１０】
第２発明に係るデッキプレートは、第１発明において、前記第２係合リブには、前記乗り越え傾斜部の先端から前記係合傾斜部と同一方向に略同角度で傾斜する押圧傾斜部が設けられていることを特徴とする。
【００１１】
第３発明に係るデッキプレートは、第１発明又は第２発明において、前記第１係合リブには、前記係合傾斜部から前記係合傾斜部と逆方向に傾斜する案内傾斜部が設けられていることを特徴とする。
【００１２】
第４発明に係るデッキプレートは、第１発明ないし第３発明のいずれかの発明において、前記スラブ支持部には、曲げ剛性を高めるため長手方向に沿って折り曲げられて凹凸が形成されていることを特徴とする。
【００１３】
第５発明に係るデッキプレートは、第１発明ないし第４発明のいずれかの発明において、前記第１立上り部、第２立上り部のいずれか一方又は両方には、デッキプレートとその内側に打設されたコンクリートとが両者の界面でずれることを防止するエンボスが形成されていることを特徴とする。
【００１４】
第６発明に係るデッキプレートは、第５発明において、前記エンボスは、前記スラブ支持部の面に対していずれか一方に傾斜する凸条であることを特徴とする。
【００１５】
第７発明に係るデッキプレートは、第１発明ないし第６発明のいずれかの発明において、前記補強リブには、曲げ剛性を高める断面三角形状の部分が設けられていることを特徴とする。
【発明の効果】
【００１６】
第１発明〜第７発明によれば、合成スラブ用デッキプレートとしてもフラットデッキ用デッキプレートとしても使用することができるとともに、いずれのデッキプレートとして使用してもデッキプレート同士の連結がデッキプレートを持ち上げることなく水平にスライドさせるだけで容易に行え、且つ、デッキプレート同士を溶接やカシメなどの固定する作業が不要となる。
【００１７】
また、第１発明〜第７発明によれば、スラブ支持部の長手両側の縁に位置する係合リブにスラブ支持部から離れた位置に横方向に延びる係合傾斜部や乗り越え傾斜部を有するので、短手方向の端部の断面性能（曲げ剛性）が向上し、デッキプレートの幅の倍数と構築するコンクリートスラブの幅との関係に端数が生じて幅調整が必要な場合でも、平板状の調整板だけで対応することができ、従来必要であった複数種類の役物が不要となる。このため、デッキプレート及びそれを用いたコンクリートスラブの材料コストを低減及び施工の単純化をすることができる。
【００１８】
さらに、第１発明〜第７発明によれば、デッキプレートの短手方向の端部の係合リブの曲げ剛性が高いうえ、係合傾斜部や乗り越え傾斜部の向く方向が同一であるため、互いに逆方向に上下に重ねた際に外側へ突出することがない。このため、前述のように半端な役物が不要となるうえ、さらに荷姿が改善され、運搬効率が向上するとともに、デッキプレート揚重の際に、デッキプレートの束に掛けられる玉掛ワイヤーやスリングなどで絞られて係合リブが変形するおそれが少ない。
【００１９】
特に、第２発明によれば、第２係合リブには、乗り越え傾斜部の先端から係合傾斜部と同一方向に略同角度で傾斜する押圧傾斜部が設けられているので、係合傾斜部と押圧傾斜部の略同一の傾斜により、合成スラブ用デッキプレートとフラットデッキ用デッキプレートのいずれのデッキプレートとして使用しても、係合させるデッキプレート同士が互いに押圧される結果となり、コンクリート打設時のノロ漏れによりセメント成分が硬化してデッキプレートの下面に剥離困難な汚れが付着してしまうことを防止することができる。
【００２０】
特に、第３発明によれば、第１係合リブに案内傾斜部が設けられているので、合成スラブ用デッキプレートとして使用する際に、デッキプレートを水平方向にスライドさせてデッキプレート同士を係合させることがさらに容易となる。
【００２１】
特に、第４発明によれば、スラブ支持部の平板面に、長手方向に沿って折り曲げられて凹凸が形成されているので、スラブ支持部の曲げ剛性が向上する。よって、デッキプレート上に打設されたコンクリートの強度が発現するまでの施工時の型枠としてのデッキプレートの強度計算において、デッキプレートの長手方向に直交する鉛直断面の全断面積が有効として算定することができ、結果的に、必要強度に比してデッキプレートの厚さを薄くすることができる。このため、輸送費を含めデッキプレートの設置費用を低減することができる。
【００２２】
特に、第５発明によれば、第１立上り部、第２立上り部のいずれか一方又は両方にエンボスが形成されているので、デッキプレートとその内側に打設されたコンクリートとが両者の界面でずれることを防止することができる。
【００２３】
特に、第６発明によれば、第１立上り部、第２立上り部のいずれか一方又は両方に形成されたエンボスが、上下に傾斜する凸条となっているので、１種類のエンボスで、上下方向、水平方向のいずれの方向にもずれることを防止することができる。
【００２４】
特に、第７発明によれば、補強リブには、断面三角形状の部分が設けられているので、製造容易な簡単な構成でデッキプレートの曲げ剛性をさらに高めることができる。
【図面の簡単な説明】
【００２５】
【図１】本発明の実施形態に係るデッキプレートを示す斜視図である。
【図２】同上のデッキプレートを長手方向に沿って水平に見た状態を示す正面図である。
【図３】同上のデッキプレートを短手方向に沿って水平に見た状態を、中間部を省略して示す左側面図である。
【図４】合成スラブ用のデッキプレートとして使用する場合の同上のデッキプレート同士を係合する前の状態を示す斜視図である。
【図５】合成スラブ用のデッキプレートとして使用する場合の同上のデッキプレート同士を係合させて敷き並べた状態を示す斜視図である。
【図６】合成スラブ用のデッキプレートとして同上のデッキプレートを使用した場合のコンクリート打設後の状態をデッキプレートの長手方向と直交する鉛直断面で示す鉛直断面図である。
【図７】合成スラブ用のデッキプレートとして使用する場合の同上のデッキプレート同士の係合前の状態を長手方向と直交する鉛直断面で示す係合状態説明図である。
【図８】図７後のデッキプレート同士の係合開始直前の当接状態を示す係合状態説明図である。
【図９】図８後のデッキプレート同士の係合開始直後の一方の係合リブの斜面に他方の係合リブが乗り上げた状態を長手方向と直交する鉛直断面で示す係合状態説明図である。
【図１０】図９後のデッキプレート同士の係合終了前の一方の係合リブの斜面を他方の係合リブが乗り越えた直後の状態を長手方向と直交する鉛直断面で示す係合状態説明図である。
【図１１】図１０後のデッキプレート同士の係合終了後の状態を長手方向と直交する鉛直断面で示す係合状態説明図である。
【図１２】フラットデッキ用のデッキプレートとして使用する場合の同上のデッキプレート同士を係合する前の状態を示す斜視図である。
【図１３】フラットデッキ用のデッキプレートとして使用する場合の同上のデッキプレート同士を係合させて敷き並べた状態を示す斜視図である。
【図１４】フラットデッキ用のデッキプレートとして同上のデッキプレートを使用した場合のコンクリート打設後の状態をデッキプレートの長手方向と直交する鉛直断面で示す鉛直断面図である。
【図１５】フラットデッキ用のデッキプレートとして同上のデッキプレートを使用した場合のコンクリート打設後の状態をデッキプレートの長手方向に沿った鉛直断面で示す鉛直断面図である。
【図１６】合成スラブ用のデッキプレートとして使用する場合の同上のデッキプレート同士の係合前の状態を長手方向と直交する鉛直断面で示す係合状態説明図である。
【図１７】図１６後のデッキプレート同士の係合開始直前の当接状態を示す係合状態説明図である。
【図１８】図１７後のデッキプレート同士の係合開始直後の一方の係合リブの斜面に他方の係合リブが乗り上げた状態を長手方向と直交する鉛直断面で示す係合状態説明図である。
【図１９】図１８後のデッキプレート同士の係合終了前の一方の係合リブの斜面を他方の係合リブが乗り越えた直後の状態を長手方向と直交する鉛直断面で示す係合状態説明図である。
【図２０】図１９後のデッキプレート同士の係合終了後の状態を長手方向と直交する鉛直断面で示す係合状態説明図である。
【図２１】合成スラブ用のデッキプレートとして従来の兼用デッキプレートを使用した場合のコンクリート打設後の状態を示す図面であり、（ａ）がデッキプレートの長手方向と直交する鉛直断面で示す鉛直断面図、（ｂ）が補強リブの溝に接続片を差し込む部分を拡大して示す部分拡大図である。
【図２２】従来のフラットデッキ用デッキプレートと、その役物を示す正面図であり、（ａ）が、従来のフラットデッキ用デッキプレートの標準タイプを示し、（ｂ）〜（ｄ）が、標準タイプより幅の狭い調整用の役物を示している。
【図２３】従来のフラットデッキ用デッキプレートを重ね合わせた荷姿を示す正面図である。
【図２４】本実施形態に係るデッキプレートを重ね合わせた荷姿を示す正面図である。
【発明を実施するための形態】
【００２６】
以下、本発明の実施形態に係るデッキプレートについて、図面を参照しながら詳細に説明する。
【００２７】
本発明の実施形態に係るデッキプレート１は、建築物の床スラブや屋根スラブなどの構造物のコンクリートスラブを構築するため、解体を要さない打込み型枠として形鋼や型枠間に架け渡され、上面にコンクリートが打設されて使用されるコンクリートスラブ用のデッキプレートである。また、このデッキプレート１は、合成スラブ用デッキプレートとフラットデッキ用デッキプレートのいずれにも適用可能な構成となっている。
【００２８】
このデッキプレート１は、溶融亜鉛めっき鋼板（JIS G3302：SGCC,SGC340,SGH340）などの防錆処理が施された0.8mm〜1.6mm程度の薄鋼板から折り曲げられて、構造物の形状に応じた所定の長さの平面視で概形が長方形状に成形されたデッキプレートである。なお、デッキプレート１の長さは、構築するコンクリートスラブの長さ、及び鋼板の厚さや用途（合成スラブ用デッキプレートとして使用するか、又はフラットデッキ用デッキプレートとして使用するか）によって相違するが、一般的には、0.8m〜3.7m程度の範囲の長さとなっている。
【００２９】
本実施形態に係るデッキプレート１は、図１〜図３に示すように、コンクリートスラブの下面を支持する長方形平板状のスラブ支持部２と、このスラブ支持部２の片面（図上の上面）から垂直（鉛直）に長手方向に沿って突設された補強リブ３と、スラブ支持部２の長手両側の縁に沿って形成された互いに係合し合う形状の左右一対の係合リブ４，５など、から構成されている。
【００３０】
なお、図１〜図３は、デッキプレート１のリブ（補強リブ３、係合リブ４，５）が上を向いてスラブ支持部２の上方に位置する場合、即ち、デッキプレート１を合成スラブ用デッキプレートとして使用する場合の設置方向を例示している。
【００３１】
図１、図２に示すように、このデッキプレート１は、スラブ支持部２の中央に一条だけ補強リブ３が突設されており、スラブ支持部２は、この補強リブ３を境に第１スラブ支持部２１と、第２スラブ支持部２２に分割されている。勿論、補強リブ３は、複数条設けられていてもよく、スラブ支持部２も３以上に分割されていてもよい。
【００３２】
（スラブ支持部）
第１スラブ支持部２１と第２スラブ支持部２２は、補強リブ３を境に線対称となった左右一対の平板状の部材であり、曲げ剛性を高めるため長手方向に沿って折り曲げられて凹凸が形成されている。
【００３３】
本実施形態に係るスラブ支持部２では、図２に示すように、曲げ剛性を高める凹凸として、第１スラブ支持部２１と第２スラブ支持部２２のいずれにも断面台形状の凸条である山形リブ２３が二本ずつ形成されている。
【００３４】
このため、デッキプレート１上に打設されたコンクリートの強度が発現するまでの施工時の型枠としてのデッキプレート１の強度計算において、デッキプレート１の長手方向に直交する図２の鉛直断面の全断面積が有効として算定することができ、結果的に、必要強度に比してデッキプレートの厚さを薄くすることができる。よって、輸送費を含めデッキプレート１の設置費用を低減することができる。
【００３５】
勿論、スラブ支持部２に設ける凹凸として、断面台形状の凸条である山形リブ２３を例示したが、断面三角形状や多角形状の凸条でもよい。即ち、スラブ支持部２に設ける凹凸は、曲げ剛性を高めるため長手方向に沿って折り曲げられる凹凸であれば、他の形状からなる凸条、凹条の山形リブでも構わない。
【００３６】
（補強リブ）
補強リブ３は、スラブ支持部２の片面中央（第１スラブ支持部２１と第２スラブ支持部２２の間）に垂設され、２枚の平板状の鋼板が重なり合った立上り部３０と、この立上り部３０の先端に形成された断面三角形状の補強リブ部３１など、から構成されており、スラブ支持部２の長手方向に対する曲げ剛性を向上する機能を有している。
【００３７】
（第１係合リブ）
一対の係合リブのうち図２に示す左側の係合リブである第１係合リブ４は、スラブ支持部２の面外方向である第１スラブ支持部２１の面に対して垂直に立ち上がる平板状の第１立上り部４０と、この第１立上り部４０の先端から図２の状態で内側（補強リブ３と近接する側、以下同じ）上方に向け傾斜して立ち上がる立上り傾斜部４１と、この立上り傾斜部４１の先端から水平に連続する水平部４２と、この水平部４２の先端から図２の状態で下方に傾斜する係合傾斜部４３と、この係合傾斜部４３の先端から係合傾斜部４３と逆方向に傾斜する案内傾斜部４４など、から構成されている。
【００３８】
この第１係合リブ４は、隣接する他のデッキプレート１の第２係合リブ５と係合してデッキプレート１同士を連結する機能を有している。
【００３９】
また、この第１立上り部４０には、図２等に示すように、幅５−１０mmで全長が３０−１００mmの平板面から内側へ突出する複数のエンボス４５が所定の間隔をおいて平行に並んで形成されている。このエンボス４５は、図３に示すように、水平視で上下に傾斜する長孔状の凸条となっており、デッキプレート１とその内側に打設されたコンクリートとが両者の界面でずれることを防止する機能を有している。このように、エンボス４５の凸条が、上下に傾斜しているため、１種類のエンボスで、上下方向、水平方向のいずれの方向にもずれること防止することができる。
【００４０】
なお、第１立上り部４０、立上り傾斜部４１、水平部４２、係合傾斜部４３、案内傾斜部４４の各部の接合部となる角は、全て曲面加工され折り曲げられ、丸面角となっている。
【００４１】
（第２係合リブ）
一対の係合リブのうち図２に示す右側の係合リブである第２係合リブ５は、スラブ支持部２の面外方向である第２スラブ支持部２２の面に対して垂直に立ち上がる平板状の第２立上り部５０と、この第２立上り部５０の先端から図２の状態で内側上方に向け傾斜して立ち上がる乗り越え傾斜部５１と、この乗り越え傾斜部５１の先端から図２の状態で下方に傾斜する押圧傾斜部５２など、から構成されている。
【００４２】
また、乗り越え傾斜部５１の傾斜高さは、係合傾斜部４３と案内傾斜部４４の傾斜高さより高く、且つ、乗り越え傾斜部５１の傾斜角度は、係合傾斜部４３と案内傾斜部４４の傾斜角度と相違して図２の状態でこれらの傾斜角度より緩くなっている。このため、デッキプレート１を載置した鋼材等の上を水平方向にスライド移動させた際に、乗り越え傾斜部５１が係合傾斜部４３及び案内傾斜部４４を容易に乗り越えて第２係合リブ５と他のデッキプレートの第１係合リブ４とが係合し易くなっている。
【００４３】
その上、押圧傾斜部５２の傾斜は、係合傾斜部４３と同一方向に略同角度で傾斜しているので、第２係合リブ５と他のデッキプレートの第１係合リブとが係合した際に、デッキプレート１の自重により係合傾斜部４３及び押圧傾斜部５２の傾斜で第２係合リブ５と他のデッキプレート１の第１係合リブとが押圧される方向に荷重が掛かり、デッキプレート１同士をピッタリ係合させることができる。このため、コンクリート打設時のノロ漏れによりセメント成分が硬化してデッキプレートの下面に剥離困難な汚れが付着してしまうことを防止することができる。
【００４４】
なお、図２等に示すように、第２立上り部５０には、エンボス４５と同様に、幅５−１０mmで全長が３０−１００mmの平板面から内側へ突出する複数のエンボス５３が所定の間隔をおいて平行に並んで形成されている。このエンボス５３は、図１に示すように、エンボス４５と逆方向の上下に傾斜する長孔状の凸条となっており、デッキプレート１とその内側に打設されたコンクリートとが両者の界面でずれることを防止する機能を有している。エンボス５３とエンボス４５の傾斜が逆方向となっているため、一体となって界面でずれることを防止するコンクリートとの合成効果がさらに高くなっている。
【００４５】
各図に示すように、第１係合リブ４と同様に、第２係合リブ５の第２立上り部５０、乗り越え傾斜部５１、押圧傾斜部５２の各部の接合部となる角も、全て曲面加工され折り曲げられ、丸面角となっている。
【００４６】
また、図２（図７、図１６も参照のこと）に示すように、第１係合リブ４の第１立上り部４０と、その折り返し部である係合傾斜部４３の傾斜が始まる折り返しの点との水平距離Ｄ１は、第２係合リブ５の第２立上り部５０の外面と、その折り返し部である押圧傾斜部５２の傾斜が始まる折り返し点の外面との水平距離Ｄ２と略等しくなっている。このため、係合傾斜部４３や押圧傾斜部５２の傾斜角度の加工精度に多少の誤差があったとしも、第１係合リブ４内に、第２係合リブ５がピッタリと嵌まり込んで係合して第１立上り部４０と、第２立上り部５０とが面接触で当接するため、コンクリート打設時のノロ漏れを確実に防止することができる。
【００４７】
＜デッキプレートの設置方法及び係合リブの係合方法＞
次に、図４〜図２０を用いて、前述の本発明の実施形態に係るデッキプレート１の設置方法と係合リブの係合方法について説明する。
【００４８】
［合成スラブ用デッキプレート］
先ず、図４〜図１１を用いて、デッキプレート１を合成スラブ用のデッキプレートとして使用する場合の設置方法及び係合方法を、構造物である建築物の床スラブを構築する場合を例示して説明する。
【００４９】
図４に示すように、建築物の床スラブを構築するための打込み型枠としてデッキプレート１を、その長手方向が建築物の梁（横架材）であるＨ形鋼Ｈの軸方向と直交するように、且つ、Ｈ形鋼Ｈ間にリブを上向き水平に（係合リブ等がスラブ支持部の上となるよう水平に）架け渡して載置する。
【００５０】
そして、図４に示すように、破線で示すもう１つのデッキプレート１を、既にＨ形鋼Ｈ上に載置した実線で示すデッキプレート１と略平行となるように並べて載置する。その後、実線で示すデッキプレート１側へ図中の矢印方向に破線で示すデッキプレート１を押すか、又は引いて第１係合リブ４に第２係合リブ５を係合させてデッキプレート１同士を連結する。
【００５１】
このような要領で、第１係合リブ４と第２係合リブ５を係合させて複数のデッキプレート１同士を連結して図５に示すように、必要枚数のデッキプレート１を敷き並べる。
【００５２】
床スラブを支持するＨ形鋼Ｈ（床梁）上にデッキプレート１を全て敷き並べた後、溶接金網などの床スラブの構造設計に応じた所定の配筋を施し、所定設計強度のコンクリートを打設して図６に示すように鉄筋コンクリート製の床スラブを構築する。
【００５３】
このようなデッキプレート１を埋設型枠として用いた鉄筋コンクリート製の合成スラブは、スラブ厚が略均一となっているため、乾燥収縮や耐火性能及び遮音性能も略均一となり、コンクリート硬化後のひび割れを抑制できるとともに、耐火性能及び遮音性能も向上することができる。
【００５４】
次に、図７〜図１１を用いて、合成スラブ用のデッキプレートとして使用する場合のデッキプレート同士の係合方法について詳細に説明する。
【００５５】
図７は、前述のデッキプレート１を合成スラブ用のデッキプレートとして使用する場合において、デッキプレート１同士の係合前の状態を長手方向と直交する鉛直断面で示す係合状態説明図である。実線で示す第２係合リブ５は、床スラブを支える梁であるＨ形鋼Ｈ上に最初に載置したデッキプレート１の係合リブを示し、破線で示す第１係合リブ４は、後から載置して既設のデッキプレート１の方へ引き寄せるか、又は押圧してＨ形鋼Ｈのフランジ上を図中の矢印方向へスライド移動させる側のデッキプレート１の係合リブを示している。
【００５６】
図８は、図７の矢印方向へそのまま破線で示す右側のデッキプレート１をスライド移動させてデッキプレート１同士を係合させる直前状態、即ち、スライド移動させている右側のデッキプレート１の第１係合リブ４が左側のデッキプレート１の第２係合リブ５と当接した状態を示す係合状態説明図である。
【００５７】
図８に示すように、右側のデッキプレート１を左側へスライド移動させていくと、左側の第２係合リブ５の乗り越え傾斜部５１の斜面の途中に、右側のデッキプレート１の係合傾斜部４３と案内傾斜部４４の丸面角が当接する。
【００５８】
図９は、図８の矢印方向へそのまま破線で示す右側のデッキプレート１をスライド移動させてデッキプレート同士の係合を開始した直後、即ち、右側の第１係合リブ４の係合傾斜部４３と案内傾斜部４４の丸面角が左側の第２係合リブ５の乗り越え傾斜部５１の斜面に乗り上げた状態を示す係合状態説明図である。
【００５９】
図９に示すように、右側のデッキプレート１の左側へのスライド移動を継続すると、右側の第１係合リブ４の係合傾斜部４３と案内傾斜部４４の丸面角が、左側の第２係合リブ５の乗り越え傾斜部５１の斜面に案内されて、その傾斜に沿って乗り上げ上昇して行き、右側のデッキプレート１の片側が持ち上がることとなる。
【００６０】
このとき、本実施形態に係る係合傾斜部４３と案内傾斜部４４の角が丸面（曲面）となっているので、乗り越え傾斜部５１の傾斜に沿った丸面角の摺動がスムーズとなっている。但し、乗り越え傾斜部５１の斜面による案内は、案内傾斜部４４が無く、係合傾斜部４３の端面と乗り越え傾斜部５１の斜面とが摺接する場合であっても可能であるため、案内傾斜部４４は、断面性能が満足していることを前提に、本発明に係るデッキプレートの必須の構成要素ではないといえる。
【００６１】
図１０は、図９の矢印方向へそのまま破線で示す右側のデッキプレート１をスライド移動させてデッキプレート同士の係合終了前、即ち、右側の第１係合リブ４の係合傾斜部４３と案内傾斜部４４の丸面角が左側の第２係合リブ５の乗り越え傾斜部５１の斜面を乗り越えた直後の状態を示す係合状態説明図である。
【００６２】
図１０に示すように、右側のデッキプレート１の左側へのスライド移動を継続すると、右側の第１係合リブ４の係合傾斜部４３と案内傾斜部４４の丸面角が、左側の第２係合リブ５の乗り越え傾斜部５１の斜面を乗り越え、次に、左側の第２係合リブ５の押圧傾斜部５２の斜面に沿って下降していくこととなる。
【００６３】
このとき、押圧傾斜部５２の斜面の傾斜角度と、係合傾斜部４３の斜面の傾斜角度が、略同じ角度となっているため、スライド移動させている右側のデッキプレート１の移動の慣性力に加え、持ち上がったデッキプレート１の自重により押圧傾斜部５２の斜面に案内されて持ち上がった右側のデッキプレート１も左側へ移動しようとする力が働く。
【００６４】
図１１は、破線で示す右側のデッキプレート１の左側へのスライド移動が完了した状態、即ち、デッキプレート同士の係合終了後の状態を示す係合状態説明図である。
【００６５】
図１１に示すように、押圧傾斜部５２の斜面による右側のデッキプレート１の自重の左側への分力と、これと反対方向に働く左側の静止しているデッキプレート１の止まろうとする慣性力とで、係合させるデッキプレート１同士が互いに押圧される結果となる。このため、デッキプレート１同士を面接触でピッタリ係合させることができ、コンクリート打設時のノロ漏れを確実に防止することができる。
【００６６】
［フラットデッキ用デッキプレート］
次に、図１２〜図２０を用いて、デッキプレート１をフラットデッキ用のデッキプレートとして使用する場合の設置方法及び係合方法を、建築物の床スラブを構築する場合を例示して説明する。
【００６７】
図１２に示すように、建築物の床スラブを構築するための打込み型枠としてデッキプレート１を、その長手方向が建築物の梁であるＨ形鋼と直交するように、且つ、Ｈ形鋼Ｈの軸方向に沿って取り付けられた山形鋼Ｌ間にリブを下向き水平に（係合リブ等がスラブ支持部の下となるよう水平に）架け渡して載置する。
【００６８】
そして、図１２に示すように、破線で示すもう１つのデッキプレート１を、実線で示す既にＨ形鋼Ｈ上に載置したデッキプレート１と略平行となるように並べて載置する。その後、実線で示すデッキプレート１側へ図中の矢印方向に破線で示すデッキプレート１を押すか、又は引いて第１係合リブ４に第２係合リブ５（図示せず）を係合させてデッキプレート１同士を連結する。
【００６９】
このような要領で、第１係合リブ４と第２係合リブ５を係合させて複数のデッキプレート１同士を連結して図１３に示すように、必要枚数のデッキプレート１を敷き並べる。
【００７０】
図１３に示すように、床スラブを支持する床梁であるＨ形鋼Ｈのフランジ上面とデッキプレート１のスラブ支持部２の上面が略面一に揃うように、山形鋼Ｌ上に必要はデッキプレート１を全て敷き並べた後、溶接金網などの床スラブの構造設計に応じた所定の配筋を施し、所定設計強度のコンクリートを打設して、図１４、図１５に示すように鉄筋コンクリート製の床スラブを構築する。
【００７１】
次に、図１６〜図２０を用いて、フラットデッキ用のデッキプレートとして使用する場合のデッキプレート同士の係合方法について詳細に説明する。
【００７２】
図１６は、前述のデッキプレート１をフラットデッキ用のデッキプレートとして使用する場合において、デッキプレート１同士の係合前の状態を長手方向と直交する鉛直断面で示す係合状態説明図である。実線で示す第１係合リブ４は、山形鋼Ｌ上に最初に載置したデッキプレート１の係合リブを示し、破線で示す第２係合リブ５は、後から載置して既設のデッキプレート１の方へ引き寄せるか、又は押圧してＨ形鋼Ｈのフランジ上を図中の矢印方向へスライド移動させる側のデッキプレート１の係合リブを示している。
【００７３】
図１７は、図１６の矢印方向へそのまま破線で示す右側のデッキプレート１をスライド移動させてデッキプレート１同士を係合させる直前状態、即ち、スライド移動させている右側のデッキプレート１の第２係合リブ５が左側のデッキプレート１の第１係合リブ４と当接した状態を示す係合状態説明図である。
【００７４】
図１７に示すように、右側のデッキプレート１を左側へスライド移動させていくと、左側の第１係合リブ４の係合傾斜部４３と案内傾斜部４４の丸面角が、右側のデッキプレート１の乗り越え傾斜部５１の斜面の途中に当接する。
【００７５】
図１８は、図１７の矢印方向へそのまま破線で示す右側のデッキプレート１をスライド移動させてデッキプレート同士の係合を開始した直後、即ち、右側の第２係合リブ５の乗り越え傾斜部５１が、左側の第１係合リブ４の係合傾斜部４３と案内傾斜部４４の丸面角に乗り上げた状態を示す係合状態説明図である。
【００７６】
図１８に示すように、右側のデッキプレート１の左側へのスライド移動を継続すると、左側の第２係合リブ５の乗り越え傾斜部５１が、右側の第１係合リブ４の係合傾斜部４３と案内傾斜部４４の丸面角に案内されて、乗り越え傾斜部５１の傾斜に沿って乗り上げ上昇して行き、右側のデッキプレート１の片側が持ち上がることとなる。
【００７７】
このとき、本実施形態に係る係合傾斜部４３と案内傾斜部４４の角が丸面（曲面）となっているので、乗り越え傾斜部５１が、丸面角への乗り上げの摺動がスムーズとなっている。但し、乗り越え傾斜部５１の乗り上げは、案内傾斜部４４が無く、係合傾斜部４３の端面と乗り越え傾斜部５１の斜面とが摺接する場合であっても可能であるため、フラットデッキ用のデッキプレートとして使用する場合でも案内傾斜部４４は、断面性能を満足していることを前提に本発明に係るデッキプレートの必須の構成要素ではないといえる。
【００７８】
図１９は、図１８の矢印方向へそのまま破線で示す右側のデッキプレート１をスライド移動させてデッキプレート同士の係合終了前、即ち、左側の第１係合リブ４の係合傾斜部４３と案内傾斜部４４の丸面角を、右側の第２係合リブ５の乗り越え傾斜部５１が乗り越えた直後の状態を示す係合状態説明図である。
【００７９】
図１９に示すように、右側のデッキプレート１の左側へのスライド移動を継続すると、持ち上がった右側の第２係合リブ５の乗り越え傾斜部５１が、左側の第１係合リブ４の係合傾斜部４３と案内傾斜部４４の丸面角を乗り越え、次に、第２係合リブ５の押圧傾斜部５２が、スライド移動に伴って、左側の第１係合リブ４の係合傾斜部４３の斜面に沿って、滑りながら下降していくこととなる。
【００８０】
このとき、押圧傾斜部５２の斜面の傾斜角度と、係合傾斜部４３の斜面の傾斜角度が、略同じ角度となっているため、スライド移動させている右側のデッキプレート１の移動の慣性力に加え、持ち上がった右側のデッキプレート１の自重により押圧傾斜部５２と係合傾斜部４３の斜面に案内されて左側へ移動しようとする力が働く。
【００８１】
図２０は、破線で示す右側のデッキプレート１の左側へのスライド移動が完了した状態、即ち、デッキプレート同士の係合終了後の状態を示す係合状態説明図である。
【００８２】
図２０に示すように、係合傾斜部４３の斜面による右側のデッキプレート１の自重の左側への分力と、これと反対方向に働く左側の静止しているデッキプレート１の止まろうとする慣性力とで、係合させるデッキプレート１同士が互いに押圧される結果となる。このため、デッキプレート１同士をピッタリ係合させることができ、コンクリート打設時のノロ漏れを確実に防止することができる。
【００８３】
なお、デッキプレート１をフラットデッキ用のデッキプレートとして使用する場合の設置方法として、Ｈ形鋼Ｈの軸方向に沿って取り付けられた山形鋼Ｌ間に架け渡す場合を例示して説明したが、勿論、デッキプレート１の長手方向の両端部にエンドクローズ加工を施して、コンクリート止めとなる山形鋼Ｌを取り付けずに、直接Ｈ形鋼Ｈ間に架け渡してもよいことは云うまでもない。
【００８４】
また、以上のように、デッキプレート同士の係合方法を図示して説明したが、図示した方向とは逆方向、即ち、合成スラブ用デッキプレートとして用いる場合、第２係合リブを第１係合リブへスライド移動させて係合したり、フラットデッキ用デッキプレートとして用いる場合、第１係合リブを第２係合リブへスライド移動させて係合したり、しても構わない。その場合でも前記作用効果を奏することは明らかである。
【００８５】
＜デッキプレートの役物＞
次に、図２２を用いて、デッキプレートの役物について説明する。図２２は、従来のフラットデッキ用デッキプレートと、その役物を示す正面図であり、（ａ）が、従来のフラットデッキ用デッキプレートの標準タイプを示し、（ｂ）〜（ｄ）が、標準タイプより幅の狭い調整用の役物を示している。
【００８６】
図２２（ａ）に示すように、従来のフラットデッキ用デッキプレート１０は、補強リブが３条あり、短手方向の一方の端部に接続片が形成されているものが一般的であった。このため、短手方向の端部に曲げ剛性が期待できず、構築するコンクリートスラブの幅に応じて幅調整を行うため、図２２（ｂ）〜（ｄ）に示すように、３種類のデッキプレートの役物１１〜１３が必要であった。
【００８７】
一方、本発明の実施形態に係るデッキプレート１では、前述のように、スラブ支持部２の短手方向の端部に位置する第１係合リブ４、第２係合リブ５に、横方向に延びる水平部４２、係合傾斜部４３、案内傾斜部４４、乗り越え傾斜部５１、押圧傾斜部５２など、が形成されているので、短手方向の端部の断面性能（曲げ剛性）が向上し、デッキプレートの幅の倍数と構築するコンクリートスラブの幅との関係に端数が生じて幅調整が必要な場合でも、係合リブと形鋼との隙間に載置する平板状の調整板だけで対応することができ、従来必要であった複数種類の役物が不要となる。このため、デッキプレート及びそれを用いたコンクリートスラブの製造コストを低減することができる。
【００８８】
＜デッキプレートの荷姿＞
次に、図２３を用いて、デッキプレートの荷姿について説明する。図２３は、従来のフラットデッキ用デッキプレート１０を重ね合わせた荷姿を示す正面図であり、図２４は、本実施形態に係るデッキプレート１を重ね合わせた荷姿を示す正面図である。
【００８９】
デッキプレートは、建築物の各階に必要枚数を揚重することや工場から建築物を建築する現場まで運搬する運搬効率を考慮して、複数枚のデッキプレートを矩形となるように積み重ねてフープで結束し、１つの荷姿に整えることが行われている。
【００９０】
しかし、従来のフラットデッキ用デッキプレート１０は、図２３に示すように、前述の役物等が混在するため、正面図において矩形となるように半端なサイズの役物１１〜１３の端にサイコロ陣木や端太角などのスペーサを噛ますなど積み重ね方法を工夫する必要があった。
【００９１】
また、工夫して積み重ねても、デッキプレート揚重の際に、デッキプレートの束に掛けられる玉掛ワイヤーやスリングなどで絞られて荷崩れしてしまうおそれが高かった。その上、デッキプレートの短手方向の端部の剛性が低く、揚重で玉掛ワイヤーやスリングなどで絞られる際に端部から横方向へ突出する部分が変形してしまうという問題もあった。
【００９２】
一方、図２４に示すように、本発明の実施形態に係るデッキプレート１の短手方向の端部には、前述の係合リブ４及び係合リブ５が形成されていて曲げ剛性が高いうえ、半端な役物が無いため、荷姿が正面図において綺麗な矩形となる。また、横方向へ突出するフランジ部の向く方向が同一であるため、上下に重ねた際に外側へ突出することがない。このため、運搬効率が向上するとともに、デッキプレート揚重の際に、デッキプレートの束に掛けられる玉掛ワイヤーやスリングなどで絞られて係合リブが変形するおそれが少ない。
【００９３】
＜実施形態に係るデッキプレートの作用効果＞
以上説明した本発明の実施形態に係るデッキプレート１によれば、合成スラブ用デッキプレートとしてもフラットデッキ用デッキプレートとしても使用することができるとともに、いずれのデッキプレートとして使用してもデッキプレート同士の連結がデッキプレートを持ち上げることなく水平にスライドさせるだけで容易に行え、且つ、デッキプレート同士を溶接やカシメなどの固定する作業が不要となる。
【００９４】
また、デッキプレート１によれば、係合傾斜部４３の斜面と押圧傾斜部５２の斜面とが、同一方向に略同角度で傾斜するように形成されているので、合成スラブ用及びフラットデッキ用のいずれの用途に用いても、係合させるデッキプレート同士が互いに押圧される結果となり、コンクリート打設時のノロ漏れによりセメント成分が硬化してデッキプレートの下面に剥離困難な汚れが付着してしまうことを防止することができる。
【００９５】
それに加え、デッキプレート１によれば、スラブ支持部２の平板面に、第１スラブ支持部２１と第２スラブ支持部２２のいずれにも長手方向に沿って折り曲げられて形成された断面台形状の凸条である山形リブ２３が二本ずつ形成されているが形成されているので、スラブ支持部２の曲げ剛性が向上する。よって、デッキプレート上に打設されたコンクリートの強度が発現するまでの施工時の型枠としてのデッキプレートの強度計算において、デッキプレートの長手方向に直交する鉛直断面の全断面積が有効として算定することができ、結果的に、必要強度に比してデッキプレートの厚さを薄くすることができる。このため、輸送費を含めデッキプレートの設置費用を低減することができる。
【００９６】
さらに、デッキプレート１には、エンボス４５とエンボス５３が形成されているので、デッキプレート１とその内側に打設されたコンクリートＣとが両者の界面でずれることを防止することができる。
【００９７】
勿論、デッキプレート１とコンクリートＣとが両者の界面でずれることを防止する合成効果は、第１立上り部４０、第２立上り部５０のいずれか一方又は両方にエンボスが形成されていれば、一定以上の効果を達成することができる。その上、いずれにもエンボスが形成されていなくても、前記作用効果を奏することができるので、立上り部にエンボスが形成されていることは、本発明の必須要素ではないと云える。
【００９８】
また、デッキプレート１の補強リブ３には、断面三角形状の補強リブ部３１が設けられているので、製造容易な簡単な構成でデッキプレートの曲げ剛性をさらに高めることができる。
【００９９】
以上、本発明の実施形態に係るデッキプレートについて詳細に説明したが、前述した又は図示した実施形態は、いずれも本発明を実施するにあたって具体化した一実施形態を示したものに過ぎず、これらによって本発明の技術的範囲が限定的に解釈されてはならないものである。特に、デッキプレートをＨ形鋼などの形鋼間に架け渡す場合を例示して説明したが、デッキプレートを基礎等の木製型枠などの型枠間に架け渡してもよいことは云うまでもない。
【符号の説明】
【０１００】
１                                        ：デッキプレート
２                                        ：スラブ支持部
２１                                      ：第１スラブ支持部
２２                                      ：第２スラブ支持部
２３                                      ：山形リブ
３                                        ：補強リブ
３０                                      ：立上り部
３１                                      ：補強リブ部
４                                        ：第１係合リブ
４０                                      ：第１立上り部
４１                                      ：立上り傾斜部
４２                                      ：水平部
４３                                      ：係合傾斜部
４４                                      ：案内傾斜部
４５                                      ：エンボス
５                                        ：第２係合リブ
５０                                      ：第２立上り部
５１                                      ：乗り越え傾斜部
５２                                      ：押圧傾斜部
５３                                      ：エンボス
Ｃ                                        ：コンクリート
Ｈ                                        ：Ｈ形鋼（形鋼）
Ｌ                                        ：Ｌ形鋼（形鋼）
１０                                      ：従来のフラットデッキ用デッキプレート
１１，１２，１３                          ：従来のデッキプレートの役物
【図１】
0006517715.tif 000002
【図２】
0006517715.tif 000003
【図３】
0006517715.tif 000004
【図４】
0006517715.tif 000005
【図５】
0006517715.tif 000006
【図６】
0006517715.tif 000007
【図７】
0006517715.tif 000008
【図８】
0006517715.tif 000009
【図９】
0006517715.tif 000010
【図１０】
0006517715.tif 000011
【図１１】
0006517715.tif 000012
【図１２】
0006517715.tif 000013
【図１３】
0006517715.tif 000014
【図１４】
0006517715.tif 000015
【図１５】
0006517715.tif 000016
【図１６】
0006517715.tif 000017
【図１７】
0006517715.tif 000018
【図１８】
0006517715.tif 000019
【図１９】
0006517715.tif 000020
【図２０】
0006517715.tif 000021
【図２１】
0006517715.tif 000022
【図２２】
0006517715.tif 000023
【図２３】
0006517715.tif 000024
【図２４】
0006517715.tif 000025